(57)【要約】      （修正有）【課題】ボックス蓋をボックス本体から取り外さなくても簡単に内部のスイッチ基板にアクセスでき、さらに部品点数も削減した空気調和機の天井埋込型室内機を提供する。【解決手段】スイッチボックスのボックス本体２１は、壁部２１ｂ３の外面にヒンジ２１ｅが形成され、スイッチ基板が操作面を下方に向けた状態で底面２１ａに搭載され、影部２１ｂ４の外面にボス２１ｆが形成されている。ボックス蓋２２は、辺２２ａの側にボックス本体２１のヒンジ２１ｅが挿通するスリット２２ｂが形成され、辺２２ｃの側にボックス本体２１のボス２１ｆにネジでネジ止めされる切欠き部２２ｄが形成されている。ボックス本体２１のヒン２１ｅは、ボス２１ｆから切欠き２２ｄを外してボックス蓋２１をスライドさせたときボックス蓋２１がヒンジ２１ｅを支点に垂れ下がる形状に形成されている。【選択図】図３
2018159525.tif 000002
【特許請求の範囲】
【請求項１】
中央に空気吸込口が形成され該空気吸込口の周囲に複数の空気吹出口が形成された化粧パネルと、下部に大口径部が形成され上部に小口径部が形成され前記大口径部が前記化粧パネルの前記空気吸込口の上方になるよう配置されるベルマウスと、該ベルマウスの前記小口径部の上部に配置される送風機と、該送風機及び前記ベルマウスを囲むように配置される筒形状の熱交換器と、前記ベルマウスの下部に配置される電装品箱と、前記ベルマウスの下部で前記電装品箱の近傍に配置される直方体形状のスイッチボックスとを備える空気調和機の天井埋込型室内機において、
前記スイッチボックスは、スイッチ基板が操作部を下方に向けた状態で搭載されるボックス本体と、該ボックス本体の前記下面を閉じるボックス蓋とで構成され、
前記ボックス本体は、対向する第１壁部及び第２壁部を備え前記スイッチ基板に対応した大きさの底面の四周から立設された周壁と、前記第１壁部の端部から外方向に突出して形成されたヒンジと、前記第２壁部の端部から外方向に突出して形成された第１ネジ止め部とを備え、
前記ボックス蓋は、前記ボックス本体に対して前記ボックス蓋を閉じるとき前記第１壁部の側となる第１辺と、前記ボックス本体に対して前記ボックス蓋を閉じるとき前記第２壁部の側となる第２辺と、前記第１辺の側に前記ボックス本体の前記ヒンジが挿通するよう形成されたスリットと、前記第２辺の側に前記ボックス本体の前記第１ネジ止め部にネジ止めされるよう形成された第２ネジ止め部とを備え、
前記ボックス蓋は、前記スリットが前記ボックス本体の前記ヒンジに挿通され、前記第２ネジ止め部が前記ボックス本体の前記第１ネジ止め部から離れると、前記スリットを支点に前記ボックス本体の前記ヒンジから垂れ下がる、
ことを特徴とする空気調和機の天井埋込型室内機。
【請求項２】
請求項１に記載の空気調和機の天井埋込型室内機において、
前記ボックス本体の前記ヒンジは、前記第１壁部の端部から外方向に伸びる引出片と、該引出片の先端から前記ボックス本体の前記底面方向に向かう方向で且つ前記第１壁部に平行な方向に伸びる立上り片とからなる、Ｌ字形状であることを特徴とする空気調和機の天井埋込型室内機。
【請求項３】
請求項１又は２に記載の空気調和機の天井埋込型室内機において、
前記ボックス本体の前記ヒンジの前記立上り片から前記第１ネジ止めまでの長さは、前記ボックス蓋の前記スリットから前記第２ネジ止め部までの長さより長く設定されていることを特徴とする空気調和機の天井埋込型室内機。
【発明の詳細な説明】
【技術分野】
【０００１】
本発明は、室内の天井に埋め込んで設置される空気調和機の天井埋込型室内機に関する。
【背景技術】
【０００２】
空気調和機の天井埋込型室内機は、一般的に、図５〜図７に示すように構成されている（例えば、特許文献１）。１は板金製の略直方体形状の筐体であり、上面が天板１ａで閉じられ側面周囲が側板１ｂで閉じられ下面が開口している。そして、側板１ｂの内壁に断熱材２が貼付され、側板１ｂの４か所の角部分１ｂ１の外側に、吊り金具によって天井の梁等に室内機全体を吊り下げるための吊下げ具３が取り付けられている。
【０００３】
この筐体１の天板１ａの内側の中央にはモータ４が取り付けられ、このモータ４の下方に突出する出力軸４ａにターボファン５が結合している。このモータ４とターボファン５により送風機が構成されている。６は下面部からみた形状が四角筒形状の熱交換器である。７は発泡樹脂製のドレンパンであり、熱交換器６で生じる結露水を回収溝７ａに集める。
【０００４】
８は化粧パネルであり、中央部分に空気吸込口８ａが形成され、その空気吸込口８ａの周囲の４か所に空気吹出口８ｂが形成されている。９は化粧パネル８の空気吸込口８ａから吸い込まれる空気をターボファン５にガイドするベルマウスであり、下部が大口径に上部が小口径に形成され、下部の上面肩部分９ａがドレンパン７の内周縁部７ｂの下面に押し付けられるように組み込まれている。熱交換器６は、このベルマウス９とターボファン５を囲むように配置されている。
【０００５】
１０は熱交換器６を通過した空気を空気吹出口８ｂにガイドする送風ガイド、１１は化粧パネル８の空気吸込口８ａの内側に配置される除塵用のフィルタである。１２はモータ４その他を制御する制御基板が内部に搭載された電装品箱であり、ベルマウス９の下部に配置されている。１３は天井埋込型室内機が配置される室内天井板である。
【０００６】
ところで、複数の室内機を１又は複数の室外機に接続して冷凍サイクルが構成できるようにし、個々の室内機に電子膨張弁を装備させて、個々の室内機において冷媒の流量を個別制御できるようにするには、個々の室内機に個別のアドレスを設定する必要がある。このため従来では、アドレス設定用のスイッチ基板３０を搭載した図８、図９に示すようなスイッチボックス５０を、通風路への影響を低減するために、図６に示すように、ベルマウス９の下面の電装品箱１２の近くの隅部９ｂに埋込搭載している。
【０００７】
このスイッチボックス５０は、板金製のボックス本体５１とそのボックス本体５１のボックス内部５１ａを閉じる板金製のボックス蓋５２で構成され直方体形状である。ボックス本体５１は、ボックス内部５１ａにスイッチ基板３０を搭載する２個のボス５１ｂ，５１ｃと、電装品箱１２に接続されるケーブル４０をクランパ５１ｄで固定するケーブル固定部５１ｅと、ボックス蓋５２を取り付けるための取付片５１ｆ、５１ｇと、ベルマウス９への取付片５１ｈとを備える。なお、ボックス蓋５２を取り付けるための取付片５１ｆはベルマウス９への取付片としても機能する。
【０００８】
ボックス蓋５２は、両端に取付片５２ａ，５２ｂを備える。一方の取付片５２ａには、ネジＢ２の頭部より狭くネジ部より広いＵ字形状の切欠き部５２ａ１が形成されている。他方の取付片５２ｂには、図９において左側にネジＢ３の頭部より狭くネジ部より広いスリット部５２ｂ１が形成され、そのスリット部５２ｂ１に連続する図９において右側にネジＢ３の頭部より広いガイド孔５２ｂ２が形成されている。
【０００９】
そして、ボックス本体５１の取付片５１ｆのネジ部５１ｆ１、取付片５１ｇのネジ部５１ｇ１にそれぞれネジＢ２、Ｂ３を仮止めしておいてから、ボックス蓋５２のガイド孔５２ｂ２がネジＢ３に入るようにそのボックス蓋５２をボックス本体５１に押し付けて、ボックス蓋５２の切欠き５２ａ１がネジＢ２に向き合うように位置づけしてから、そのボックス蓋５２を矢印Ｄ方向にスライドさせる。これによって、ボックス蓋５２の切欠き５２ａ１がネジＢ２のネジ部に嵌り込み、スリット５２ｂ１がネジＢ３のネジ部に位置する。よって、この状態でネジＢ２，Ｂ３を締め付ければ、図９（ａ）に示すように、ボックス本体５１のボックス内部５１ａがボックス蓋５２によって閉じられ、スイッチ基板３０が保護される。
【００１０】
また、ネジＢ２，Ｂ３を緩めてから、ボックス蓋５２を図９（ｂ）に示すように矢印Ｅ方向にスライドさせれば、切欠き５２ａ１がネジＢ２から外れ、ネジＢ３がガイド孔５２ｂ２に位置するので、そのボックス蓋５２をボックス本体５１から取り外すことができ、この状態でスイッチ基板３０に対するアクセスが可能となる。
【先行技術文献】
【特許文献】
【００１１】
【特許文献１】特許第４５８２８１８号公報
【発明の概要】
【発明が解決しようとする課題】
【００１２】
ところが、このスイッチボックス５０は、ボックス蓋５２をボックス本体５１から完全に取り外さなければ、スイッチ基板３０に対する完全なアクセスができないという問題があり、その作業が煩雑であった。また、ボックス本体５１に、スイッチ基板３０を保持させるためにボス５１ｂ，５１ｃやクランパ５１ｄが必要であり、ボックス蓋５２をボックス本体５１に取り付けるために２個のネジＢ２，Ｂ３も必要であり、部品点数が多くなる問題もあった。
【００１３】
本発明の目的は、ボックス蓋をボックス本体から完全に取り外さなくても内部のスイッチ基板にアクセスでき、さらに部品点数も削減できるようにした空気調和機の天井埋込型室内機を提供することである。
【課題を解決するための手段】
【００１４】
上記目的を達成するために、請求項１にかかる発明は、中央に空気吸込口が形成され該空気吸込口の周囲に複数の空気吹出口が形成された化粧パネルと、下部に大口径部が形成され上部に小口径部が形成され前記大口径部が前記化粧パネルの前記空気吸込口の上方になるよう配置されるベルマウスと、該ベルマウスの前記小口径部の上部に配置される送風機と、該送風機及び前記ベルマウスを囲むように配置される筒形状の熱交換器と、前記ベルマウスの下部に配置される電装品箱と、前記ベルマウスの下部で前記電装品箱の近傍に配置され前記ベルマウスに形成されたボスに取り付けられる直方体形状のスイッチボックスとを備える空気調和機の天井埋込型室内機において、前記スイッチボックスは、スイッチ基板が操作部を下方に向けた状態で搭載されるボックス本体と、該ボックス本体の前記下面を閉じるボックス蓋とで構成され、前記ボックス本体は、対向する第１壁部及び第２壁部を備え前記スイッチ基板に対応した大きさの底面の四周から立設された周壁と、前記第１壁部の端部から外方向に突出して形成されたヒンジと、前記第２壁部の端部から外方向に突出して形成された第１ネジ止め部とを備え、前記ボックス蓋は、前記ボックス本体に対して前記ボックス蓋を閉じるとき前記第１壁部の側となる第１辺と、前記ボックス本体に対して前記ボックス蓋を閉じるとき前記第２壁部の側となる第２辺と、前記第１辺の側に前記ボックス本体の前記ヒンジが挿通するよう形成されたスリットと、前記第２辺の側に前記ボックス本体の前記第１ネジ止め部にネジ止めされるよう形成された第２ネジ止め部とを備え、前記ボックス蓋は、前記スリットが前記ボックス本体の前記ヒンジに挿通され、前記第２ネジ止め部が前記ボックス本体の前記第１ネジ止め部から離れると、前記スリットを支点に前記ボックス本体の前記ヒンジから垂れ下がる、ことを特徴とする。
請求項２にかかる発明は、請求項１に記載の空気調和機の天井埋込型室内機において、前記ボックス本体の前記ヒンジは、前記第１壁部の端部から外方向に伸びる引出片と、該引出片の先端から前記ボックス本体の前記底面方向に向かう方向で且つ前記第１壁部に平行な方向に伸びる立上り片とからなる、Ｌ字形状であることを特徴とする。
請求項３にかかる発明は、請求項１又は２に記載の空気調和機の天井埋込型室内機において、前記ボックス本体の前記ヒンジの前記立上り片から前記第１ネジ止めまでの長さは、前記ボックス蓋の前記スリットから前記第２ネジ止め部までの長さより長く設定されていることを特徴とする。
【発明の効果】
【００１５】
本発明のスイッチボックスによれば、ボックス蓋の第２ネジ止め部をボックス本体の第１ネジ止め部から外せば、ボックス蓋がボックス本体から垂れ下がるので、その状態でボックス本体内のスイッチ基板へのアクセスが可能となる。つまり、通常のメンテナンスではボックス蓋を完全に取り外す必要がなくなる。また、スイッチボックスの部品点数もボックス本体とボックス蓋と１個のネジの３点に削減できる
【図面の簡単な説明】
【００１６】
【図１】化粧パネルを取り外した状態の本発明の実施例の空気調和機の天井埋込型室内機の下面図である。
【図２】本発明の実施例のスイッチボックスのボックス本体の上を向けた状態の斜視図である。
【図３】（ａ）は本発明の実施例のスイッチボックスのボックス本体の下面図、（ｂ）はボックス蓋の下面図である。
【図４】（ａ）は本発明の実施例のスイッチボックスのボックス蓋を閉じた状態の下面斜視図、（ｂ）はボックス蓋を開いた状態の下面斜視図である。
【図５】従来の空気調和機の天井埋込型室内機の下面からみた斜視図である。
【図６】従来の空気調和機の天井埋込型室内機の化粧パネルを取り外した状態の下面図である。
【図７】図６のＶＩＩ−ＶＩＩ線断面図である。
【図８】従来のスイッチボックスのボックス本体の上を向けた状態の斜視図である。
【図９】（ａ）は従来のスイッチボックスのボックス蓋を閉じた状態の下面斜視図、（ｂ）はボックス蓋をスライドさせた状態の下面斜視図である。
【発明を実施するための形態】
【００１７】
図１は本発明の実施例の直方体形状のスイッチボックス２０を取り付けた空気調和機の天井埋込型室内機の下面図であり、ここでは化粧パネル８を取り外している。スイッチボックス２０は、ベルマウス９の下部において、電装品箱１２の端部１２ａに最も近い１つの隅部９ｂに形成された２個のボス９ｃ１、９ｃ２に、図示しないネジによって取り付けられる。このスイッチボックス２０は、図２〜図４に示すように、樹脂製のボックス本体２１と樹脂製のボックス蓋２２で構成され、内部にスイッチ基板３０が搭載される。
【００１８】
ボックス本体２１は、底面２１ａと、その底面２１ａの四周から立設された壁部２１ｂ１，２１ｂ２，２１ｂ３，２１ｂ４で形成された周壁２１ｂと、ボックス本体２１をベルマウス９のボス９ｂ１，９ｂ２に取り付けるための取付片２１ｃ，２１ｄと、ボックス蓋２２をボックス本体２１に係合するためのヒンジ２１ｅと、ボックス蓋２２をボックス本体２１にネジ止めするためのボス２１ｆ（請求項記載の第１ネジ止め部）を有する。
【００１９】
取付片２１ｃ，２１ｄは、周壁２１ｂの互いに平行で対向する壁部２１ｂ１，２１ｂ２の外面から外方向に突出するように形成されている。ヒンジ２１ｅは、壁部２１ｂ３（請求項記載の第１壁部）からその壁部２１ｂ３に垂直方向で且つ底面２１ａと反対側である下面側の端部から底面２１ａに平行に外方向に伸びる引出片２１ｅ１と、引出片２１ｅ１の先端から底面２１ａに向かう方向で且つ壁部２１ｂ３に平行な方向に伸びる立上り片２１ｅ２とからなる、厚みがｔ１のＬ字形状に形成されている。そして、立上り片２１ｅ２の高さＨ１は、図２に示すように、壁部２１ｂ３の高さＨ２よりも低く（Ｈ１＜Ｈ２）なっている。ボス２１ｆは、周壁２１ｂの開口面側から壁部２１ｂ３の反対側の壁部２１ｂ４（請求項記載の第２壁部）に直交する外方向に壁部２１ｂ３から伸びるように形成され、そこにはネジ穴２１ｆ１が形成されている。
【００２０】
ボックス本体２１はさらに、第１ケーブルガイド２１ｇ、第２ケーブルガイド２１ｈ、第３ケーブルガイド２１ｉ、第４ケーブルガイド２１ｊを備える。
【００２１】
第１ケーブルガイド２１ｇはヒンジ２１ｅが形成された壁部２１ｂ３の側に、周壁２１ｂの下面側からＵ形に切り欠いた形状に形成されている。第２ケーブルガイド２１ｈは、壁部２１ｂ３の外面に先端が底面２１ａの方向に曲折するようＬ字形状に形成されている。この第２ケーブルガイド２１ｈは、図３に示すように、壁部２１ｂ３の内の第１ケーブルガイド２１ｇの側の壁部２１ｂ３１の外面からの突出長さＬ１が、ヒンジ２１ｅの立上り片２１ｅ２と壁部２１ｂ３の間の距離Ｌ２の半分程度になる（Ｌ１＜Ｌ２）ように形成されている。第３ケーブルガイド２１ｉは、壁部２１ｂ２の外面か突出し周壁２１ｂの下面方向に曲折するように、Ｌ字形状に形成されている。第４ケーブルガイド２１ｊは、壁部２１ｂ２の外面から突出し第２ケーブルガイド２１ｈと同様な向きに曲折するようにＬ字形状に形成されている。
【００２２】
ボックス本体２１にはさらに、周壁２１ｂの壁部２１ｂ３の内面に２個の基板受けガイド２１ｋと２１ｌが形成され、壁部２１ｂ４の内面に２個の基板受けガイ２１ｍと２１ｎが形成されている。また、壁部２１ｂ１の内面に１個の基板固定弾性爪２１ｏが形成され、壁部２１ｂ２の内面に１個の基板固定弾性爪２１ｐが形成されている。さらに、壁部２１ｂ１の内面には型抜き孔２１ｑが形成され、壁部２１ｂ２の内面には型抜き孔２１ｒが形成されている。
【００２３】
基板受けガイド２１ｋ，２１ｌ，２１ｍ，２１ｎは、ボックス本体２１内に押し付けられるスイッチ基板３０の縁部を受け止めるためのものであり、基板固定弾性爪２１ｏ，２１ｐは基板受けガイド２１ｋ〜２１ｎに押し付けたスイッチ基板３０が外れないようにそのスイッチ基板３０の縁部をロックするためのものである。型抜き孔２１ｑ，２１ｒは、基板固定弾性爪２１ｏ，２１ｐを樹脂成形するためのものである。
【００２４】
四角形状のボックス蓋２２は、ボックス本体２１の周壁２１ｂの内側を完全に閉じる大きさより若干大きく形成されている。そして、ボックス蓋２２の１つの辺２２ａ（請求項記載の第１辺）の側に、ボックス本体２１の厚みｔ１のヒンジ２１ｅが挿入される幅がＷ１（Ｗ１＞ｔ１）の全周が閉じたスリット２２ｂが形成されている。そして、スリット２２ｂと辺２２ａの外縁２２ａ１の間の幅Ｗ２は、前記したボックス本体２１の高さＨ１とＨ２の差（Ｈ２−Ｈ１）よりも狭くなっている（Ｗ２＜Ｈ２−Ｈ１）。
【００２５】
また、辺２２ａと反対側の辺２２ｃ(請求項記載の第２辺）に切欠き部２２ｄ（請求項記載の第２ネジ止め部）が形成されている。この切欠き部２２ｄは、ボックス本体２１のボス２１ｆのネジ穴２１ｆ１に螺合するネジＢ１の頭部が係合する第２ネジ止め部として機能し、辺２２ａと反対方向が開口するよう形成され、その切欠き部２２ｄの周囲の縁部には平らな平坦部２２ｂ１が形成されている。この切欠き部２２ｄの幅Ｗ３は、ネジＢ１のネジ部よりも広く頭部よりも狭く形成されている。
【００２６】
ボックス本体２１のヒンジ２１ｅの立上り片２１ｅ２の内面からボス２１ｆのネジ穴２１ｆ１までの長さＬ３は、ボックス蓋２２のスリット２２ｂの外側の面から切欠き部２２ｄの形成された辺２２ｃまでの長さＬ４よりも、長く（Ｌ４＜Ｌ３）設定されている。
【００２７】
スイッチ基板３０には、図２に示すように、複数のロータリスイッチ３１、複数のディップスイッチ３２、コネクタ３３が搭載されている。
【００２８】
ケーブル４０は、一方の端部に、スイッチ基板３０のコネクタ３３に結合するコネクタ４１が接続され、そのコネクタ４１から引き出されたケーブル４０は、ボックス本体２１の第１ケーブルガイド２１ｇ、第２ケーブルガイド２１ｈ、第３ケーブルガイド２１ｉ、及び第４ケーブルガイド２１ｊにより、順次曲折してガイドされている。そして、他方の端部が電装品箱１２に接続される。このようにケーブル４０は第１乃至第４ケーブルガイド２１ｇ，２１ｈ，２１ｉ，２１ｊで曲折してガイドされることで、引き抜け難いようになっている。
【００２９】
さて、本実施例のボックス本体２１は、周壁２１ｂで囲まれた底面２１ａに、ロータリスイッチ３１やディップスイッチ３２等の操作部が外側を向く姿勢でスイッチ基板３０を押し込むと、そのスイッチ基板３０の縁部が、基板受けガイド２１ｋ〜２１ｎと基板固定弾性爪２１ｏ，２１ｐで挟持されて、脱落し難いように取り付けられる。
【００３０】
スイッチボックス２０の組み立ては、まず、ボックス本体２１の取付片２１ｃ，２１ｄを、周壁２１ｂで囲まれた底面２１ａが下方を向くようにベルマウス９の隅９ｂのボス９ｃ１，９ｃ２に、図示しないネジによって取り付ける。このとき、ボス９ｃ１，９ｃ２の高さを、ボックス本体２１の取付片２１ｃ、２１ｄの底面２１ａの裏面（つまり、ボックス本体２１の上面：図示せず）からの高さに応じて設定しておくことで、ベルマウス９にボックス本体２１を埋め込ませるための凹部を形成する必要はなくなる。ボックス蓋２２は、図３（ｂ）に示した下面２２ｅを下向きの姿勢にして、そのスリット２２ｂをボックス本体２１のヒンジ２１ｅの立上り片２１ｅ２に挿入する。
【００３１】
そして、そのボックス蓋２２を、ボックス本体２１の周壁２１ｂで囲まれた底面２１ａを閉じるように回動させてから、引出片２１ｅ１に沿ってボス２１ｆの方向（図４（ａ）に示す矢印Ａ方向）にスライドさせると、そのボックス蓋２２の切欠き部２２ｄがボックス本体２１のボス２１ｆに合致する。このとき、ボックス本体２１のボス２１ｆのネジ穴２１ｆ１に予めネジＢ１を仮り止めしておけば、ボックス蓋２２の切欠き部２２ｄがそのネジＢ１のネジ部に嵌め込まれる。そこで、この状態でネジＢ１をさらにネジ込めば、そのネジＢ１の頭部が切欠き部２２ｄの周囲の平坦部２２ｄ１に締め付けられ、図４（ａ）に示すように、ボックス蓋２２によってボックス本体２１の底面２１ａが閉じられ、ボックス本体２１の内部に取り付けられたスイッチ基板３０が保護される。
【００３２】
次に、ネジＢ１を緩めてから、ボックス蓋２２を矢印Ａ方向と反対方向に手によって若干スライドさせると、ボックス蓋２２の切欠き部２２ｄがネジＢ１から外れるので、そこで手を離すとボックス蓋２２がが自重によって、図４（ｂ）に示すように、ボックス本体２１のヒンジ２１ｅを支点にして矢印Ｂの方向に垂れ下がる。このときボックス蓋２２は、そのスリット２２ｂがヒンジ２１ｅの立上り辺２１ｅ２にガイドされているので、脱落が防止される。
【００３３】
そして、ボックス蓋２２を、下面２２ｅが上向きとなるように矢印Ｃ方向に回動させて、さらにヒンジ２１ｅの立上り辺２１ｅ２の高さＨ１だけ持ち上げれば、ボックス蓋２２のスリット２２ｂがボックス本体２１のヒンジ２１ｅから外れるので、ボックス蓋２２をボックス本体２１から取り外すことができる。
【００３４】
このように、ネジＢ１を緩めてボックス蓋２２を矢印Ａと反対方向に若干スライドさせるのみで、ボックス蓋２２がボックス本体２１から外れて垂れ下がるので、スイッチ基板３０の操作を行う通常のメンテナンスは、この状態で行うことができる。また、スイッチ基板３０の交換やケーブル４０の着脱の際には、ボックス蓋２２が邪魔になるようであれば、そのボックス蓋２２を簡単に取り外すことができる。
【００３５】
以上から、本実施例のスイッチボックス２０によれば、ボックス本体２１の下面を簡単に開放させることができ、その状態でボックス本体２１内のスイッチ基板３０へのアクセスが可能となる。つまり、通常のメンテナンスではボックス蓋２２を完全に取り外す必要がなくなる。また、ベルマウス９には取付用の所定長さのボス９ｃ１，９ｃ２を形成すればよく、ボックス本体２１の埋込用の凹部をベルマウス９に形成する必要はない。このため、ベルマウス９の大幅な設計変更は必要ない。さらに、スイッチボックス２０の部品点数もボックス本体２１とボックス蓋２２と１個のネジＢ１の３点に削減できる。さらに、ボックス蓋２２は上下の抜き型のみで樹脂成型することできるので、スイッチボックスを小型化できるとともに、その製造コストを低減することができる。
【００３６】
なお、スイッチ基板３０のボックス本体２１への取り付けは、基板受けガイド２１ｋ〜２１ｎと基板固定弾性爪２１ｏ，２１ｐを使用せずに、ネジを使用して行ってもよい。
【符号の説明】
【００３７】
１：筐体、１ａ：天板、１ｂ：側板
２：断熱材
３：吊下げ具
４：モータ、４ａ：出力軸
５：ターボファン
６：熱交換器
７：ドレンパン、７ａ：回収溝、７ｂ：内周縁部
８：化粧パネル、８ａ：空気吸込口、８ｂ：空気吹出口
９：ベルマウス、９ａ：肩部、９ｂ：隅部、９ｃ１，９ｃ２：ボス
１０：送風ガイド
１１：フィルタ
１２：電装品箱、１２ａ：端部
１３：室内天井板
２０：スイッチボックス
２１：ボックス本体、２１ａ：底面、２１ｂ：周壁、２１ｂ１〜２１ｂ４，２１ｂ３１：壁部、２１ｃ，２１ｄ：取付片、２１ｅ：ヒンジ、２１ｅ１：引出片、２１ｅ２：立上り片、２１ｆ：ボス（第１ネジ止め部）、２１ｆ１：ネジ穴、２１ｇ：第１ケーブルガイド、２１ｈ：第２ケーブルガイド、２１ｉ：第３ケーブルガイド、２１ｊ：第４ケーブルガイド、２１ｋ，２１ｌ，２１ｍ，２１ｎ：基板受けガイド、２１ｏ，２１ｐ：基板固定弾性爪、２１ｑ，２１ｒ：型抜き孔
２２：ボックス蓋、２２ａ：辺、２２ｂ：スリット、２２ｃ：辺、２２ｄ：切欠き部（第２ネジ止め部）、２２ｄ１：平坦部、２２ｅ：下面
３０：スイッチ基板、３１：ロータリスイッチ、３２：ディップスイッチ、３３：コネクタ
４０：ケーブル、４１：コネクタ
５０：スイッチボックス
５１：ボックス本体、５１ａ：ボックス内部、５１ｂ，５１ｃ：ボス、５１ｄ：クランパ、５１ｅ：ケーブル固定部、５１ｆ：取付片、５１ｆ１：ネジ穴、５１ｇ：取付片、５１ｇ１：ネジ穴、５１ｈ：取付片
５２：ボックス蓋、５２ａ：取付片、５２ａ１：切欠き、５２ｂ：取付片、５２ｂ１：スリット部、４２ｂ２：ガイド孔
【図１】
2018159525.tif 000003
【図２】
2018159525.tif 000004
【図３】
2018159525.tif 000005
【図４】
2018159525.tif 000006
【図５】
2018159525.tif 000007
【図６】
2018159525.tif 000008
【図７】
2018159525.tif 000009
【図８】
2018159525.tif 000010
【図９】
2018159525.tif 000011